(57)【要約】【課題】  本発明は薄型化に好適であって、液晶表示画面を２次元的に部分駆動し得るエッジ型バックライトユニットにおいて、積層された導光板を固定する構造と方法を提供することを目的とする。【解決手段】液晶表示画面を複数のブロックに分割して、各ブロックごとに独立した光源と導光板を有するサブ・エッジ型バックライト部を液晶パネルの下に複数個積層して配置して、各ブロックに対して、サブ・エッジ型バックライト部が独立して光を照射でき、また、他のサブ・エッジ型バックライト部が積層され重複している領域については、導光板にドットパターンを設置せずに光が重複して照射されないように構成したエッジ型バックライトユニットにおいて、積層された複数個のサブ・エッジ型バックライト部導光板を液晶表示画面の両サイドに設置された本発明によるフレームに挟むことにより、スクリュや両面テープを使用せずに固定する。【選択図】図１
2009300783.tif 000002
【特許請求の範囲】
【請求項１】
液晶パネルの表示画面を複数のブロックに分割して、各ブロックごとに独立した光源と導光板を有するサブ・エッジ型バックライト部を前記液晶パネルの裏側に配置して、前記ブロックごとに、前記サブ・エッジ型バックライト部が独立して光を照射するエッジ型部分駆動バックライトユニットであって、
前記サブ・エッジ型バックライト部は前記液晶パネルの裏側に複数個積層され、
前記サブ・エッジ型バックライト部のうち、前記サブ・エッジ型バックライト部と前記液晶パネルとの間に他の前記サブ・エッジ型バックライト部が設置されている前記サブ・エッジ型バックライト部（以下「中間サブ・エッジ型バックライト部」ともいう）の導光板については、前記液晶パネルとの間に他の前記サブ・エッジ型バックライト部が存在する領域（以下「バックライト重複領域」ともいう）においては、導光板にドットパターンを設置しないで、鏡面状態とすることにより、前記中間サブ・エッジ型バックライト部から前記バックライト重複領域に光が照射されないように構成されているエッジ型部分駆動バックライトユニットにおいて、
前記サブ・エッジ型バックライト部は、前記液晶パネルの表示画面の両サイドに設置されたフレームのスリット部に挟まれることにより保持され、前記中間サブ・エッジ型バックライト部は、前記液晶パネルの表示画面の裏側に設置されたフレームに設けられたアームをリヤカバーの差込口に差し込まれて固定されるリヤカバーと、前記サブ・エッジ型バックライト部との隙間に挟まれることにより保持され、
前記フレームは、前記リヤカバーの前記差込口と、両端の嵌合部とにより固定されている
ことを特徴とするエッジ型部分駆動バックライトユニット。
【請求項２】
請求項１に記載のエッジ型部分駆動バックライトユニットを有することを特徴とする液晶表示装置。
【請求項３】
液晶パネルの表示画面を複数のブロックに分割して、各ブロックごとに独立した光源と導光板を有するサブ・エッジ型バックライト部を前記液晶パネルの裏側に配置して、前記ブロックごとに、前記サブ・エッジ型バックライト部が独立して光を照射するエッジ型部分駆動バックライトユニットにおいて、
前記サブ・エッジ型バックライト部は前記液晶パネルの裏側に複数個積層され、
前記サブ・エッジ型バックライト部のうち、前記サブ・エッジ型バックライト部と前記液晶パネルとの間に他の前記サブ・エッジ型バックライト部が設置されている前記サブ・エッジ型バックライト部（以下「中間サブ・エッジ型バックライト部」ともいう）の導光板については、前記液晶パネルとの間に他の前記サブ・エッジ型バックライト部が存在する領域（以下「バックライト重複領域」ともいう）においては、導光板にドットパターンを設置しないで、鏡面状態とすることにより、前記中間サブ・エッジ型バックライト部から前記バックライト重複領域に光が照射されないように構成されているエッジ型部分駆動バックライトユニットにおいて、前記サブ・エッジ型バックライト部と前記中間サブ・エッジ型バックライト部を固定する方法であって、
前記サブ・エッジ型バックライト部を、前記液晶パネルの表示画面の両サイドに設置されたフレームのスリット部に挟むことにより保持する工程と、
前記中間サブ・エッジ型バックライト部を、前記液晶パネルの表示画面の裏側に設置されたフレームに設けられたアームをリヤカバーの差込口に差し込まれて固定されるリヤカバーと、前記サブ・エッジ型バックライト部との隙間に挟むことにより保持する工程と、
前記フレームを前記リヤカバーの前記差込口と、両端の嵌合部とにより固定する工程とを有することを特徴とする、前記サブ・エッジ型バックライト部と前記中間サブ・エッジ型バックライト部を液晶表示画面の両サイドに設置されるフレームを使用して固定する方法。
【請求項４】
エッジ型バックライトユニットであって、
請求項３に記載の前記サブ・エッジ型バックライト部と前記中間サブ・エッジ型バックライト部を固定する方法を使用して製造されたことを特徴とするエッジ型部分駆動バックライトユニット。
【発明の詳細な説明】
【技術分野】
【０００１】
本発明は、液晶表示装置に用いるエッジライト型バックライトにおいて、部分駆動方法を実現するために使用される複数のサブ・エッジ型バックライト部の複数の導光板を固定する構造と方法に関する。
【背景技術】
【０００２】
近年、テレビはブラウン管を用いたものから液晶を用いたものに移りつつある。さらに通常の薄型テレビから、壁掛け液晶テレビへと移り変わる傾向にあり、薄型化が加速されている。
【０００３】
薄型化を実現するためには、バックライト装置の光源として、冷陰極管に比べて小型である、ＬＥＤ光源を採用したり、薄型構造に有利なエッジライト型バックライトの採用も進められている。
【０００４】
部分駆動表示が可能なバックライトによれば、高いコントラストと広い色再現性を実現できることが知られている。
【０００５】
直下型バックライトによる部分駆動を実現している例はあるが、直下型バックライトの場合には輝度ムラを改善するために、光源と拡散板の間にある程度の距離が必要となり、薄型化には限界がある。図に基づいて説明する。
図４は直下型バックライトによる部分駆動の概略を示す説明図である。
図４において、４０１は部分駆動の対象の液晶画面ブロックであり、４０３は光源であり、４０４は拡散板である。また、４０２は光源から拡散板４０４までの距離である。
直下型バックライトの場合には光源４０３からの光のムラの影響のために、光源から拡散板４０４までの距離４０２がある程度必要であり、構造的に薄型化が困難である。
【０００６】
一方、エッジライト型バックライトを利用すれば、薄型化を実現できるが、エッジライト型のバックライトを積層して使用するには問題があり、２次元的部分駆動は困難であった。具体的には、エッジライト型バックライトの場合には光源を液晶パネルの側面に配置するために、液晶パネルを図３に示されるような１次元的に分割して部分駆動するものは存在したが、２次元的に部分駆動表示が可能なエッジライト型のバックライトは存在しなかった。図３は１次元部分駆動表示が可能なエッジライト型のバックライトの概略図である。
図３において、３０１は導光板であり、３０２は光源が設置される位置である。
【０００７】
発明者は、導光板に工夫を加えることにより、光源と導光板を積層構造とし、ブロック状に分割・配置することにより、サイドのみの光源配置のエッジライト型バックライトによる２次元部分駆動が可能であることに着目して、エッジライト型部分駆動バックライトを発明し、特願２００８−１１２７４８号として先に出願した。
さらに、このエッジライト型バックライトにおいて部分駆動方法を実現するために、複数の導光板を積層して使用する必要があるが、発明者は、積層された複数の導光板をスクリュや両面テープを使用せずに、確実に保持でき、かつエッジライト型バックライトの薄型化の実現に寄与する、導光板の固定に利用するフレームの構造および方法に関して着目した。
【０００８】
【特許文献１】特開  ２００７−２９３３３９
【発明の開示】
【発明が解決しようとする課題】
【０００９】
そこで、本発明は薄型化に有利なエッジライト型バックライトを利用し、液晶パネルを複数のブロックに分割して、ブロック毎に独立して光を照射し、２次元的な部分駆動をすることが可能なエッジ型バックライトユニットにおいて、複数の積層構造の導光板を固定する構造および方法を提供することを目的とする。
【課題を解決するための手段】
【００１０】
請求項１に記載の発明は、液晶パネルの表示画面を複数のブロックに分割して、各ブロックごとに独立した光源と導光板を有するサブ・エッジ型バックライト部を前記液晶パネルの裏側に配置して、前記ブロックごとに、前記サブ・エッジ型バックライト部が独立して光を照射するエッジ型部分駆動バックライトユニットであって、
前記サブ・エッジ型バックライト部は前記液晶パネルの裏側に複数個積層され、
前記サブ・エッジ型バックライト部のうち、前記サブ・エッジ型バックライト部と前記液晶パネルとの間に他の前記サブ・エッジ型バックライト部が設置されている前記サブ・エッジ型バックライト部（以下「中間サブ・エッジ型バックライト部」ともいう）の導光板については、前記液晶パネルとの間に他の前記サブ・エッジ型バックライト部が存在する領域（以下「バックライト重複領域」ともいう）においては、導光板にドットパターンを設置しないで、鏡面状態とすることにより、前記中間サブ・エッジ型バックライト部から前記バックライト重複領域に光が照射されないように構成されているエッジ型部分駆動バックライトユニットにおいて、
前記サブ・エッジ型バックライト部は、前記液晶パネルの表示画面の両サイドに設置されたフレームのスリット部に挟まれることにより保持され、前記中間サブ・エッジ型バックライト部は、前記液晶パネルの表示画面の裏側に設置されたフレームに設けられたアームをリヤカバーの差込口に差し込まれて固定されるリヤカバーと、前記サブ・エッジ型バックライト部との隙間に挟まれることにより保持され、
前記フレームは前記リヤカバーの前記差込口と、両端の嵌合部とにより固定されている
ことを特徴とする。
【００１１】
請求項２に記載の発明は、液晶表示装置であって、請求項１に記載のエッジ型部分駆動バックライトユニットを有することを特徴とする。
【００１２】
請求項３に記載の発明は、液晶パネルの表示画面を複数のブロックに分割して、各ブロックごとに独立した光源と導光板を有するサブ・エッジ型バックライト部を前記液晶パネルの裏側に配置して、前記ブロックごとに、前記サブ・エッジ型バックライト部が独立して光を照射するエッジ型部分駆動バックライトユニットにおいて、
前記サブ・エッジ型バックライト部は前記液晶パネルの裏側に複数個積層され、
前記サブ・エッジ型バックライト部のうち、前記サブ・エッジ型バックライト部と前記液晶パネルとの間に他の前記サブ・エッジ型バックライト部が設置されている前記サブ・エッジ型バックライト部（以下「中間サブ・エッジ型バックライト部」ともいう）の導光板については、前記液晶パネルとの間に他の前記サブ・エッジ型バックライト部が存在する領域（以下「バックライト重複領域」ともいう）においては、導光板にドットパターンを設置しないで、鏡面状態とすることにより、前記中間サブ・エッジ型バックライト部から前記バックライト重複領域に光が照射されないように構成されているエッジ型部分駆動バックライトユニットにおいて、複数個積層されている前記サブ・エッジ型バックライト部と前記中間サブ・エッジ型バックライト部とを固定する方法であって、
前記サブ・エッジ型バックライト部を、前記液晶パネルの表示画面の両サイドに設置されたフレームのスリット部に挟むことにより保持する工程と、
前記中間サブ・エッジ型バックライト部を、前記液晶パネルの表示画面の裏側に設置されたフレームに設けられたアームをリヤカバーの差込口に差し込まれて固定されるリヤカバーと、前記サブ・エッジ型バックライト部との隙間に挟むことにより保持する工程と、
前記フレームを前記リヤカバーの前記差込口と、両端の嵌合部とにより固定する工程とを有することを特徴とする。
【００１３】
請求項４に記載の発明は、エッジ型バックライトユニットに係り、
請求項３に記載の前記サブ・エッジ型バックライト部と前記中間サブ・エッジ型バックライト部を固定する方法を使用して製造されたことを特徴とする。
【発明の効果】
【００１４】
本発明に係るサブ・エッジ型バックライト部と中間サブ・エッジ型バックライト部を固定する構造または方法を使用することにより、液晶表示装置の薄型化を損なうことなく、液晶パネルを２次元的に複数のブロックに分割して、各ブロックごとにエッジ型バックライトユニットによって部分駆動の可能なエッジ型部分駆動バックライトユニットを提供することが可能となる。
【発明を実施するための最良の形態】
【００１５】
以下、図を参照しつつ、本発明を実施するための形態につき説明する。
【００１６】
図１は本発明による導光板固定方法を説明するための説明用斜視図である。
図１の本発明に係る導光板固定方法は、液晶パネルとの間に他のサブ・エッジ型バックライト部が存在しないサブ・エッジ型バックライト部１００と液晶パネルとの間に他のサブ・エッジ型バックライト部が存在する中間サブ・エッジ型バックライト部１１０を有するエッジ型バックライトユニットにおいて、フレーム１２０は、スクリュや両面テープを使用せずに、サブ・エッジ型バックライト部１００と中間サブ・エッジ型バックライト部１１０を保持している。
図１において、１００は光源と導光板を有するサブ・エッジ型バックライト部であり、１１０は光源と導光板を有する中間サブ・エッジ型バックライト部である。
サブ・エッジ型バックライト部１００の光源の発する熱と、中間サブ・エッジ型バックライト部１１０の光源の発する熱に関しては、サブ・エッジ型バックライト部１００と中間サブ・エッジ型バックライト部１１０が固定されているフレーム１２０の形状により、隔離されているために熱が篭らない構造となっていて、液晶画面の高いコントラストと広い色再現性の実現に貢献している。
フレーム１２０は、液晶表示画面表側に設置されてサブ・エッジ型バックライト部１００を上から押さえている部分である表側矩形部１２１と、液晶表示画面の裏側に設置されて、サブ・エッジ型バックライト部１００を下から支えている部分である裏側矩形部１２２と、表示画面の裏側に設置された裏側矩形部１２２の一部に設けられたアーム部分であるアーム部１２３とを有していて、アーム部分１２３が、中間サブ・エッジ型バックライト部１１０を下から支えるリヤカバー１３０の差込口１３１に差し込まれることにより、リヤカバーとフレームは嵌合する。また、フレームは液晶表示画面の両サイドに設置されて、積層された複数の導光板を固定している。
【００１７】
図６は液晶表示装置用エッジライト型部分駆動バックライトであって、１１１は光源であり、１１２は導光板であり、１１０は光源１１１と導光板１１２を有する中間サブ・エッジ型バックライト部である。また、１１９は光源１１１からの出射光である。１１４は中間サブ・エッジ型バックライト部１１０と液晶パネルとの間に他の前記サブ・エッジ型バックライト部１００が設置されているバックライト重複領域である。１１５は導光板１１２のうち、バックライト重複領域以外の領域である。
【００１８】
サブ・エッジ型バックライト部１００の導光板については、一般的な導光板と同様に全ての面にドットパターンが形成されている。その結果、光源１０１からの出射光は出射光１０９に代表されるように、導光板１０２の全面から出射する。
【００１９】
次に、中間サブ・エッジ型バックライト部１１０について、説明する。
中間サブ・エッジ型バックライト部１１０の導光板１１２においては、バックライト重複領域１１４にはドットパターン１１３は形成されず、鏡面状態のままとする。その結果、光源１１１からの出射光は出射光１１９に代表されるように、バックライト重複領域１１４においては、導光板１１２の中を全反射しながら進み、ドットパターン１１３が形成されているバックライト重複領域１１４以外の領域１１５においてはドットパターン１１３により乱反射を生じるので、バックライト重複領域１１４以外の領域１１５においてはバックライトの効果を奏する。
【００２０】
以上のように、中間サブ・エッジ型バックライト部１１０の導光板１１２のバックライト重複領域１１４についてはドットパターンを作成しないことにより、サブ・エッジ型バックライト部１００が部分駆動している領域に対して、重複して光を照射してしまうことを防ぐことができる。
【００２１】
その結果、従来は、エッジ型バックライトユニットによっては困難であった液晶パネルの２次元的部分駆動が可能となる。
【００２２】
図６は図１で説明した固定方法の対象となる液晶パネルとの間に他のサブ・エッジ型バックライト部が存在しないサブ・エッジ型バックライト部１００と液晶パネルとの間に他のサブ・エッジ型バックライト部が存在する中間サブ・エッジ型バックライト部１１０を有するエッジ型バックライトユニットである。図１において説明した固定方法により、フレーム１２０により、スクリュ（ネジ）や両面テープを使用せずに、サブ・エッジ型バックライト部１００と中間サブ・エッジ型バックライト部１１０を保持できる。
【００２３】
なお、図６においてはフレーム１２０は図示していない。
【００２４】
図２は、図１を液晶画面の裏側から見た部分斜視図である。
本発明に係る２次元的部分駆動が可能なエッジ型部分駆動バックライトユニットにおいて、積層された複数の導光板を両サイドのフレームが固定する際に、中間サブ・エッジ型バックライト部１１０を裏側から保持するリヤカバー１３０は、液晶パネルの表示画面の裏側に設置されたフレームの裏側矩形部１２２に設けられたアーム部１２３をリヤカバー１３０の差込口１３１に差し込むことによって固定されている。またフレーム１２０は、リヤカバー１３０の差込口１３１と、両端の嵌合部１２４とにより固定されている。
【００２５】
図５は、本発明によるフレームを液晶画面の両サイドに設置して、複数個の積層された導光板を固定する方法を説明するための説明用斜視図である。
本発明によるフレームは、液晶表示画面の表側に設置された表側矩形部１２１と、液晶表示画面の裏側に設置された裏側矩形部１２２と、裏側矩形部１２２に設けられたアーム部１２３と、フレーム両端に設置された嵌合部１２４からなり、フレームは液晶表示画面の両サイドに設置される。図１に示されるようにサブ・エッジ型バックライト部１００と中間サブ・エッジ型バックライト部１１０は積層されてフレームに固定されており、図５に示されるように、サブ・エッジ型バックライト部１００と中間サブ・エッジ型バックライト部１１０のペアーにより構成されるサブ・エッジ型バックライト部は、複数個並べて配置することが可能であって、本発明によるフレームを使用することによりすべての導光板を固定することができる。
図５では、５個並べて配置しているが、これに限定されるものではなく、液晶画面の大型化に対して柔軟に対応可能である。
【図面の簡単な説明】
【００２６】
【図１】本発明による固定方法を説明するための説明用斜視図である。
【図２】図１を液晶画面の裏側から見た部分斜視図である。
【図３】１次元部分駆動表示が可能なエッジライト型のバックライトの概略図である。
【図４】直下型バックライトによる部分駆動の概略を示す説明図である。
【図５】本発明によるフレームを液晶画面の両サイドに配置することにより、複数の導光板を固定する方法を説明するための説明用斜視図である。
【図６】本発明による固定方法によって固定される導光板の概略を説明するための説明図である。
【符号の説明】
【００２７】
１００      サブ・エッジ型バックライト部
１１０      中間サブ・エッジ型バックライト部
１２０      フレーム
１２１      液晶表示画面表側に設置されて、サブ・エッジ型バックライト部１００
を上から押さえているフレーム１２０の表側矩形部
１２２      液晶表示画面の裏側に設置されて、サブ・エッジ型バックライト部１００を下から支えているフレーム１２０の裏側矩形部
１２３      表示画面の裏側に設置されたフレーム１２０の裏側矩形部分１２２に設けられたアーム部
１３０      リヤカバー
１３１      リヤカバー１３０に設けられた差込口
【図１】
2009300783.tif 000003
【図２】
2009300783.tif 000004
【図３】
2009300783.tif 000005
【図４】
2009300783.tif 000006
【図５】
2009300783.tif 000007
【図６】
2009300783.tif 000008